(57)【要約】【課題】各地に設置された複数の調査対象の調査を簡単に効率良く行う。【解決手段】調査支援装置が、各地に設置された複数の調査対象に対して行われる調査項目の入力を受け付け、入力された調査項目を、定められた調査票に印刷するための調査項目情報を出力し、出力した調査項目情報に基づいて印刷された調査票に基づいて調査対象の設置位置において行われた調査結果の入力を受け付け、自身の地理的な位置情報を取得する位置情報取得端末によって、調査対象の設置位置において取得された位置情報の入力を受け付け、調査対象の設置位置において撮像された調査対象の画像の入力を受け付け、入力された調査結果と、入力された位置情報と、入力された画像とを対応付けて記憶する。【選択図】図１
2012155592.tif 000002
【特許請求の範囲】
【請求項１】
各地に設置された複数の調査対象に対して行われる調査項目の入力を受け付ける調査項目入力部と、
前記調査項目入力部に入力された前記調査項目を、定められた調査票に印刷するための調査項目情報を出力する調査項目出力部と、
前記調査項目出力部によって出力された前記調査項目情報に基づいて印刷された調査票に基づいて前記調査対象の設置位置において行われた調査結果の入力を受け付ける調査結果入力部と、
自身の地理的な位置情報を取得する位置情報取得端末によって、前記調査対象の設置位置において取得された位置情報の入力を受け付ける位置情報入力部と、
前記調査対象の設置位置において撮像された当該調査対象の画像の入力を受け付ける画像入力部と、
前記調査結果入力部に入力された前記調査結果と、前記位置情報入力部に入力された前記位置情報と、前記画像入力部に入力された前記画像とが対応付けられた調査対象情報が記憶される記憶部と、
を備えることを特徴とする調査支援装置。
【請求項２】
前記記憶部には、前記調査対象を識別する識別情報に対応付けて前記調査対象情報が記憶され、
検索対象である前記調査対象を識別する識別情報の入力を受け付ける識別情報入力部と、
前記識別情報入力部に入力された前記識別情報に対応する前記調査対象情報を前記記憶部から読み出す検索部と、
を備えることを特徴とする請求項１に記載の調査支援装置。
【請求項３】
前記識別情報を示すバーコードを生成し、当該識別情報に対応する前記調査票に印刷する印刷部と、
前記調査票に印刷された前記バーコードを読み込むバーコードスキャナと、を備え、
前記検索部は、前記バーコードスキャナによって読み込まれた前記バーコードに対応する前記調査対象情報を読み出す
ことを特徴とする請求項２に記載の調査支援装置。
【請求項４】
前記調査項目情報には、前記調査項目に対する調査結果が記入される前記調査票における位置を示す調査結果位置情報が含まれており、
前記調査結果入力部は、前記調査結果位置情報に基づいて前記調査票に記入された前記調査結果の位置を検出し、当該位置から前記調査結果を読み込む
ことを特徴とする請求項１から請求項３までのいずれか１項に記載の調査支援装置。
【請求項５】
前記調査対象はマンホールである
ことを特徴とする請求項１に記載の調査支援装置。
【請求項６】
調査支援装置が、
各地に設置された複数の調査対象に対して行われる調査項目の入力を受け付けるステップと、
入力された前記調査項目を、定められた調査票に印刷するための調査項目情報を出力するステップと、
出力した前記調査項目情報に基づいて印刷された調査票に基づいて前記調査対象の設置位置において行われた調査結果の入力を受け付けるステップと、
自身の地理的な位置情報を取得する位置情報取得端末によって、前記調査対象の設置位置において取得された位置情報の入力を受け付けるステップと、
前記調査対象の設置位置において撮像された当該調査対象の画像の入力を受け付けるステップと、
入力された前記調査結果と、入力された前記位置情報と、入力された前記画像とを対応付けて記憶するステップと、
を備えることを特徴とする調査支援方法。
【発明の詳細な説明】
【技術分野】
【０００１】
本発明は、各地に設置された複数の調査対象の調査を支援する技術に関する。
【背景技術】
【０００２】
マンホールの蓋、ガス菅、街灯、消火栓、電柱など、同種のものが各地の土地に定着して設置されている工作物等が存在する。このような工作物等が機能する状態を保ち、例えば劣化した場合の修復、交換等を効率良く行うために、どこにどのようなものが設置されているか、またそれぞれの製造年月日、各種状態などが管理者によって把握されていることが望ましい。また、周期的に状態等の調査が行われることが望ましい。
ところで、特許文献１、２には、デジタルカメラで撮像された画像を、その画像を撮像した撮像位置に対応する地図情報の位置にリンクさせることが記載されている。
【先行技術文献】
【特許文献】
【０００３】
【特許文献１】特許第３４６２８４１号公報
【特許文献２】特開２００４−２３４５６２号公報
【発明の概要】
【発明が解決しようとする課題】
【０００４】
しかしながら、このような工作物等を調査対象とする場合、膨大な数（例えば、１０００万以上）の調査対象が設置されているものも存在し、その調査には非常に手間、時間がかかる。特に、調査における集計作業において多大な労力が必要となっており、効率良く電子データ化し、電子的な検索、集計が可能なデータベースを生成することが望ましい。
【０００５】
本発明は、このような状況に鑑みてなされたもので、各地に設置された複数の調査対象の調査を簡単に効率良く行うことを支援する調査支援装置、調査支援方法を提供する。
【課題を解決するための手段】
【０００６】
上述した課題を解決するために、本発明は、各地に設置された複数の調査対象に対して行われる調査項目の入力を受け付ける調査項目入力部と、調査項目入力部に入力された調査項目を、定められた調査票に印刷するための調査項目情報を出力する調査項目出力部と、調査項目出力部によって出力された調査項目情報に基づいて印刷された調査票に基づいて調査対象の設置位置において行われた調査結果の入力を受け付ける調査結果入力部と、自身の地理的な位置情報を取得する位置情報取得端末によって、調査対象の設置位置において取得された位置情報の入力を受け付ける位置情報入力部と、調査対象の設置位置において撮像された調査対象の画像の入力を受け付ける画像入力部と、調査結果入力部に入力された調査結果と、位置情報入力部に入力された位置情報と、画像入力部に入力された画像とが対応付けられた調査対象情報が記憶される記憶部と、を備えることを特徴とする。
【０００７】
また、本発明は、記憶部には、調査対象を識別する識別情報に対応付けて調査対象情報が記憶され、検索対象である調査対象を識別する識別情報の入力を受け付ける識別情報入力部と、識別情報入力部に入力された識別情報に対応する調査対象情報を記憶部から読み出す検索部と、を備えることを特徴とする。
【０００８】
また、本発明は、識別情報を示すバーコードを生成し、識別情報に対応する調査票に印刷する印刷部と、調査票に印刷されたバーコードを読み込むバーコードスキャナと、を備え、検索部は、バーコードスキャナによって読み込まれたバーコードに対応する調査対象情報を読み出すことを特徴とする。
【０００９】
また、本発明は、調査項目情報には、調査項目に対する調査結果が記入される調査票における位置を示す調査結果位置情報が含まれており、調査結果入力部は、調査結果位置情報に基づいて調査票に記入された調査結果の位置を検出し、位置から調査結果を読み込むことを特徴とする。
【００１０】
また、本発明は、調査対象はマンホールであることを特徴とする。
【００１１】
また、本発明は、調査支援装置が、各地に設置された複数の調査対象に対して行われる調査項目の入力を受け付けるステップと、入力された調査項目を、定められた調査票に印刷するための調査項目情報を出力するステップと、出力した調査項目情報に基づいて印刷された調査票に基づいて調査対象の設置位置において行われた調査結果の入力を受け付けるステップと、自身の地理的な位置情報を取得する位置情報取得端末によって、調査対象の設置位置において取得された位置情報の入力を受け付けるステップと、調査対象の設置位置において撮像された調査対象の画像の入力を受け付けるステップと、入力された調査結果と、入力された位置情報と、入力された画像とを対応付けて記憶するステップと、を備えることを特徴とする。
【発明の効果】
【００１２】
以上説明したように、本発明によれば、調査支援装置が、各地に設置された複数の調査対象に対して行われる調査項目の入力を受け付け、入力された調査項目を、定められた調査票に印刷するための調査項目情報を出力し、出力した調査項目情報に基づいて印刷された調査票に基づいて調査対象の設置位置において行われた調査結果の入力を受け付け、自身の地理的な位置情報を取得する位置情報取得端末によって、調査対象の設置位置において取得された位置情報の入力を受け付け、調査対象の設置位置において撮像された調査対象の画像の入力を受け付け、入力された調査結果と、入力された位置情報と、入力された画像とを対応付けて記憶するようにしたので、各地に設置された複数の調査対象の調査を簡単に効率良く行うことができる。
【図面の簡単な説明】
【００１３】
【図１】本発明の一実施形態による調査支援システム１の構成例を示すブロック図である。
【図２】本発明の一実施形態による調査支援装置に記憶される調査依頼マスタのデータ例を示す図である。
【図３】本発明の一実施形態による調査支援装置に記憶される依頼台帳毎マスタのデータ例を示す図である。
【図４】本発明の一実施形態による調査支援装置に記憶される調査台帳毎タイトルマスタのデータ例を示す図である。
【図５】本発明の一実施形態による調査支援装置に記憶される調査項目設定マスタのデータ例を示す図である。
【図６】本発明の一実施形態による調査票の例を示す図である。
【図７】本発明の一実施形態により撮像される画像の例を示す図である。
【図８】本発明の一実施形態による調査支援装置に記憶される調査票シート結果ファイルのデータ例を示す図である。
【図９】本発明の一実施形態による調査支援システム１の動作例を示すフローチャートである。
【発明を実施するための形態】
【００１４】
以下、本発明の一実施形態について、図面を参照して説明する。
図１は、本実施形態による調査支援システム１の構成を示すブロック図である。調査支援システム１は、調査票１００と、位置情報取得端末２００と、撮像装置３００と、調査支援装置４００とを備えている。本実施形態では、各地に設置された複数のマンホールの蓋が調査対象である場合の例を説明する。
【００１５】
調査票１００は、調査対象について調査するべき調査項目と、調査項目に対応する調査結果を記入する欄とが印刷された用紙である。調査対象の調査を行なう調査員は、調査対象のマンホールの蓋が設置された現地に赴き、調査票１００に記入された調査項目に従って調査を行い、調査結果を記入する。ここで、調査対象、調査項目の決定手順について説明する。調査対象がマンホールの蓋である場合、例えば管理者が自治体であれば、自治体の役所等を調査依頼主として、調査業者に調査が依頼される。図２は、このような調査依頼に関するデータの例を示す図である。このデータは、調査依頼マスタとして調査支援装置４００の記憶部４０９に記憶される。調査依頼マスタ番号は、調査依頼を識別する情報である。作成日付は、調査依頼マスタデータが作成された日付を示す情報である。システム管理者ＩＤは、調査依頼マスタデータを入力したシステム管理者を識別する情報である。調査先地域名称は、調査対象が設置された地域の名称を示す情報である。調査先中心部地図緯度、調査先中心部地図経度、調査先中心部地図縮尺は、調査対象が設置された地域を全て含むような地図の中心緯度、中心経度、縮尺を示す情報である。
【００１６】
ここで、調査対象がマンホールの蓋である場合、役所等が、調査対象地域の区画毎に、設置されているマンホールの蓋の位置が示された地図台帳を所有している場合がある。そこで、本実施形態では、このような台帳に基づいて、台帳の地図範囲毎に調査を行うこととする。図３は、このような依頼台帳に関するデータの例を示す図である。このデータは、依頼台帳毎マスタとして調査支援装置４００の記憶部４０９に記憶される。
【００１７】
このような依頼台帳毎に、調査票１００が作成される。図４は、このような調査票１００に関するデータの例を示す図である。このデータは、調査票毎タイトルマスタとして調査支援装置４００の記憶部４０９に記憶される。
調査票１００には、上述したように複数の調査項目と、調査項目に対応する調査結果を記入する欄とが印刷される。このような調査項目は、自治体や地域等によって異なる場合があると考えられるため、調査項目についても、固定値ではなく調査票毎に設定されるようにする。図５は、このような調査項目に関するデータの例を示す図である。このデータは、調査項目設定マスタとして調査支援装置４００の記憶部４０９に記憶される。調査項目シリアル番号は、調査項目設定マスタデータを識別する情報である。調査票マスタＩＤは、対応する調査票タイトルマスタの調査票タイトルマスタＩＤに対応する。調査項目タイトルは、調査項目の内容を示す文字列である。調査結果項目数は、調査項目に対する調査結果が選択式である場合に、その選択される候補の項目数を示す。調査結果内容０１〜２０は、それぞれ選択される調査結果の内容を示す文字列である。この例では、調査結果項目数が６であるため、調査結果内容０７〜２０は空欄となる。ここでは、調査結果内容が２０個まで設定可能な例を示すが、調査結果内容のデータ数は任意の数として良い。シートチェックＸＹ位置は、調査項目に対する調査結果項目が記入される調査票１００におけるＸＹ座標位置を示す調査結果位置情報である。このような調査項目設定マスタデータに基づいて、図６に示すような調査票１００が作成される。ここでは、例えば調査項目設定マスタデータをマークシート作成業者に渡すことにより、マークシートの作成を他者に依頼することができる。調査票１００において、マンホール管理番号は、調査依頼主の台帳においてマンホールの蓋を識別する番号である。整理番号は、調査支援システム１内で一意となる番号である。台帳番号は、台帳を識別する番号である。
【００１８】
位置情報取得端末２００は、自身の地理的な位置情報を取得するコンピュータ端末である。位置情報取得端末２００には、例えば、ＧＰＳ（Global Positioning System）に基づいて位置情報を取得して記憶するＧＰＳロガーを適用することができる。
撮像装置３００は、画像を撮像するデジタルカメラである。ここで、撮像装置３００が生成する画像は、Ｅｘｉｆ（Exchangeable image file format）形式であり、画像についての各種情報や撮像日時などの付加情報が含まれるものとする。調査票１００に基づいて調査対象を調査する調査員は、撮像装置３００を用いて、調査対象の設置位置において調査対象を撮像する。図７は、撮像装置３００が撮像する画像の例を示す図である。このように、撮像装置３００は、調査対象についての情報を記載した黒板とともに、調査対象であるマンホールの蓋を撮像する。
【００１９】
調査支援装置４００は、各地に設置された複数の調査対象の調査を簡単に効率良く行うことを支援するコンピュータ装置である。調査支援装置４００は、マンホールの蓋の調査を依頼された調査業者に利用される。調査支援装置４００は、調査項目入力部４０１と、調査項目出力部４０２と、印刷部４０３と、スキャナ４０４と、マークシート読み取り部４０５と、調査結果入力部４０６と、位置情報入力部４０７と、画像入力部４０８と、記憶部４０９と、バーコードスキャナ４１０と、識別情報入力部４１１と、検索部４１２と、出力部４１３とを備えている。
【００２０】
調査項目入力部４０１は、各地に設置された複数の調査対象に対して行われる調査項目の入力を受け付ける。調査項目入力部４０１に入力される調査項目は、上述した調査項目設定マスタデータである。調査項目入力部４０１は、入力された調査項目設定マスタデータを記憶部４０９に記憶させる。
【００２１】
調査項目出力部４０２は、調査項目出力部４０２に入力された調査項目を、定められた調査票１００に印刷するための調査項目情報を出力する。調査項目情報は、上述した調査項目設定マスタデータである。調査項目出力部４０２は、記憶部４０９に記憶された調査項目設定マスタデータを読み出して出力するようにしても良い。このような調査項目設定マスタデータは、例えば上述したようなマークシート作成業者に渡され、調査票１００が作成される。ここで、調査項目出力部４０２は、例えばＣＤ（Compact Disc）やフラッシュメモリ等の記憶媒体に調査項目設定マスタデータを出力してマークシート作成業者に渡されるようにしても良いし、インターネット等の通信回線を介してマークシート作成業者が有するコンピュータ装置に送信するようにしても良い。あるいは、調査項目出力部４０２は、印刷機能を有する印刷部４０３を介して、調査票用紙に調査項目を印刷するようにしても良い。
【００２２】
印刷部４０３は、紙に文字等を印刷する機能を有する。ここでは、印刷部４０３は、調査票１００の識別情報を示すバーコードを生成し、識別情報に対応する調査票１００に印刷する。調査票１００の識別情報としては、例えば、依頼台帳に記載された、マンホールの蓋を識別するマンホール管理番号が適用できる。マンホール管理番号は、図６に示した調査票１００においては左上の（１）の箇所に予め記載される。印刷部４０３は、このような、マンホールの蓋を識別するマンホール管理番号に基づくバーコードを生成し、生成したバーコードを、例えば帳票の右下の「（３６）特記事項」の箇所等に印刷する。
【００２３】
スキャナ４０４は、調査票１００の全体をスキャンして、電子データ化した画像を生成する。
マークシート読み取り部４０５は、スキャナ４０４が生成した画像から、定められた箇所にマークが存在するか否かを判定し、マーク結果を読み取る。ここでは、マークシート読み取り部４０５は、調査項目設定マスタに含まれるシートチェックＸＹ位置に基づいて、調査票１００に記入された調査結果の位置を検出し、その位置から調査結果を読み込む。
【００２４】
調査結果入力部４０６は、調査項目出力部４０２によって出力された調査項目設定マスタデータに基づいて例えばマークシート作成業者によって作成された調査票１００に基づいて、調査員によって調査対象の設置位置において行われた調査結果の入力を受け付ける。ここでは、調査結果入力部４０６は、マークシート読み取り部４０５が読み取った読み取り結果を調査結果とすることができる。あるいは、選択式ではない調査結果については、キーボードやマウスなどの入力デバイスによるデータ入力を受け付けるようにしても良い。例えば、図６の例では、各調査項目における「その他」の欄、（２０）の「残存模様高さ」の欄などは選択式ではなく、これらの調査結果については手入力による入力を受け付ける。図８は、このような調査結果のデータ例を示す図である。このデータは、調査票シート結果ファイルとして記憶部４０９に記憶される。
【００２５】
位置情報入力部４０７は、位置情報取得端末２００によって、調査対象の設置位置において取得された位置情報の入力を受け付ける。
画像入力部４０８は、調査対象の設置位置において撮像装置３００によって撮像された調査対象の画像の入力を受け付ける。
【００２６】
記憶部４０９には、調査支援のための各種データが記憶される。例えば、調査依頼マスタ、依頼台帳マスタ、調査票毎タイトルマスタ、調査項目設定マスタなどの情報が記憶される。また、記憶部４０９には、調査結果である調査票シート結果ファイルと、位置情報入力部４０７に入力された位置情報と、位置情報入力部４０７に入力された画像とが対応付けられた調査対象情報であるマンホール情報が記憶される。このようなマンホール情報には、調査対象であるマンホールの蓋を識別する識別情報に対応付けられて記憶される。ここで、記憶部４０９に記憶される画像のＥｘｉｆデータ自体に、位置情報や、調査結果情報の一部を記憶させるようにしても良い。
【００２７】
バーコードスキャナ４１０は、調査票１００に印刷されたバーコードを読み込み、読み込んだバーコードに含まれる識別情報を検出して出力する。
識別情報入力部４１１は、検索対象であるマンホールの蓋を識別する識別情報の入力を受け付ける。ここで、識別情報入力部４１１は、キーボードやマウス等の入力デバイスを介して入力による識別情報の入力を受付けても良いし、バーコードスキャナ４１０に読み込まれて出力される識別情報が入力されるようにしても良い。
【００２８】
検索部４１２は、識別情報入力部４１１に入力された識別情報に対応するマンホール情報を、記憶部４０９から読み出し、出力部４１３に出力する。ここで、バーコードスキャナ４１０によってバーコードが読み込まれている場合には、バーコードスキャナ４１０が読み込んだバーコードが示す識別情報に対応するマンホール情報を読み出す。
出力部４１３は、画像を表示して出力するディスプレイである。
【００２９】
次に、図面を参照して、調査支援装置４００の動作例を説明する。図９は、調査支援装置４００による調査支援処理の動作例を示すフローチャートである。まず、調査項目入力部４０１は、調査項目の入力を受け付けて調査項目マスタデータを生成し、記憶部４０９に記憶させる（ステップＳ１）。調査項目出力部４０２は、調査項目入力部４０１に入力された調査項目マスタデータを出力する（ステップＳ２）。出力された調査項目マスタデータはマークシート作成業者に渡され、調査票１００が印刷されて作成される（ステップＳ３）。
【００３０】
調査業者がマークシート作成業者によって作成された調査票１００を受け取ると、調査支援装置４００の印刷部４０３は、調査票１００の識別情報をバーコード化して調査票１００に印刷する（ステップＳ４）。ここで、調査業者は、複数の調査票１００を、マンホールの蓋を検査する順序に並べて調査員に渡す。そして、調査員が、調査票１００の区画毎に調査対象の設置位置に赴いて、並べられた調査票１００の順序に従ってマンホールの蓋の調査を行い、調査票１００に調査結果を記入する。また、調査員は、マンホールの蓋の設置位置において、位置情報取得端末２００に位置情報を取得させ、撮像装置３００にマンホールの蓋の画像を撮像させる（ステップＳ５）。ここで、位置情報取得端末２００が記憶している時刻と、撮像装置３００が記憶している時刻との同期を予め取らせておくことで、取得したデータを時刻により対応付けることが可能である。また、調査員が、台帳には存在しないマンホールの蓋を発見した場合には、そのマンホールの蓋についても調査を行い、マンホール管理番号が記載されていない新たな調査票１００に調査結果を記入することができる。
【００３１】
調査員が調査を完了すると、調査業者に調査票１００と位置情報取得端末２００と撮像装置３００とを渡す。調査業者は、調査結果等を調査支援装置４００に入力させる。すなわち、調査支援装置４００のスキャナ４０４が、調査票１００をスキャンして画像を生成すると、マークシート読み取り部４０５が、調査票１００の画像から調査結果を読み取り、調査結果入力部４０６に入力する（ステップＳ６）。位置情報入力部４０７は、位置情報取得端末２００から位置情報を読み取って入力を受け付ける（ステップＳ７）。画像入力部４０８は、撮像装置３００から位置情報を読み取って入力を受け付ける（ステップＳ８）。調査結果入力部４０６に入力された調査結果と、位置情報入力部４０７に入力された位置情報と、画像入力部４０８に入力された画像とは、対応付けられてマンホール情報として記憶部４０９に記憶される。これにより、マンホールの蓋の調査結果が、簡単に、効率良く電子化されてデータベース化される。
【００３２】
このように電子化されて記憶部４０９に記憶された調査結果は、識別情報等によって簡単に検索し、表示することができる。例えば、バーコードスキャナ４１０は、調査票１００に印刷されたバーコードを読み取り、識別情報入力部４１１に入力する（ステップＳ９）。検索部４１２は、識別情報入力部４１１に入力された識別情報に対応するマンホール情報を記憶部４０９から検索し（ステップＳ１０）、検索したマンホール情報を出力部４１３に表示させる（ステップＳ１１）。出力部４１３に表示される画面には、例えば調査結果において未入力であった調査項目や、選択式ではなく手入力による入力が必要な調査項目などについて入力を受け付けるテキストボックス等を表示させ、入力を受け付けて記憶部４０９に記憶されている調査結果を更新するようにすることができる。これにより、未入力の調査項目や手入力の調査項目の調査結果を、簡単に効率良く入力することが可能となる。また、調査依頼主は、このように出力部４１３に表示されたマンホール情報により、調査結果を確認することができる。
【００３３】
従来であれば、調査票に記載された調査結果を、オペレータ等の作業員によってコンピュータに入力し、また画像と調査結果とを作業員が確認しながらフォルダ分けをするなどして対応付けて記憶させることなどの事務処理により、多大な手間と時間がかかっていたが、本発明によれば、簡単に、効率良く調査結果のデータベースを作成することができる。また、調査票１００は紙による調査結果の原本として残るため、例えば調査の成果として依頼主に提出することができる。
【００３４】
なお、例えば調査票１００を電子化し、携帯型のコンピュータ端末などを調査員が持ち、調査対象の設置位置に赴いて調査結果を入力するようにしても良い。ただし、携帯型のコンピュータ端末自体の購入、保守コストや、調査員が操作方法を習得するまでの労力等を考慮すると、本実施形態のように紙媒体の調査票１００によって調査を行うようにすれば、調査員は従来と同様の調査を行うことができるため、迅速に実施しやすいと考えられる。すなわち、本実施形態によれば、調査員が現地にて行う調査作業のコストは従来と同様であるが、調査結果を電子化し、集計するコストを格段に減らすことができる。
【００３５】
また、マンホールの蓋にＩＣチップを設置して、ＩＣチップ内にマンホールの蓋の調査結果等を記憶させるようにするインテリジェントマンホールという考え方もあるが、この方法には、ＩＣチップ自体の価格が必ずしも安価でないこと、ＩＣチップが劣化してデータが破損したり通信の不具合が発生したりする可能性があることなどの障壁があると考えられる。これに対し、本実施形態によれば、マンホールの蓋にＩＣチップを設置せずとも、マンホールの蓋の状態を電子的に管理することができる。ここで、本実施形態では、マンホールの蓋は位置情報により識別されるが、マンホールの蓋は、通常数十メートルの間隔を開けて設置される。ＧＰＳの誤差は十メートル程度であるから、このような誤差を考慮しても、位置情報によって充分にマンホールの蓋を識別することができる。すなわち、本実施形態によれば、インテリジェントマンホールが実現したと同様の効果を、簡単に、効率良く得ることができる。
【００３６】
また、本実施形態では、調査対象をマンホールの蓋であるとして説明したが、ガス菅、街灯、消火栓、電柱など、同種のものが各地の土地に定着して設置されている工作物等の調査においても同様に適用することができる。
【００３７】
なお、本発明における処理部の機能を実現するためのプログラムをコンピュータ読み取り可能な記録媒体に記録して、この記録媒体に記録されたプログラムをコンピュータシステムに読み込ませ、実行することにより調査支援を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３９】
１  調査支援システム
１００  調査票
２００  位置情報取得端末
３００  撮像装置
４００  調査支援装置
４０１  調査項目入力部
４０２  調査項目出力部
４０３  印刷部
４０４  スキャナ
４０５  マークシート読み取り部
４０６  調査結果入力部
４０７  位置情報入力部
４０８  画像入力部
４０９  記憶部
４１０  バーコードスキャナ
４１１  識別情報入力部
４１２  検索部
４１３  出力部
【図１】
2012155592.tif 000003
【図２】
2012155592.tif 000004
【図３】
2012155592.tif 000005
【図４】
2012155592.tif 000006
【図５】
2012155592.tif 000007
【図６】
2012155592.tif 000008
【図８】
2012155592.tif 000009
【図９】
2012155592.tif 000010
【図７】
2012155592.tif 000011